(57)【特許請求の範囲】
【請求項１】
タッチパネル式の表示部と、
複数の印刷ページの各々に画像を割り付ける割付手段と、
前記割付手段にて画像を割り付けた場合に、前記複数の印刷ページのうち第１の印刷ページを前記表示部に表示する割付表示手段と、
前記割付表示手段にて表示された前記第１の印刷ページ内を起点として、前記表示部との複数の接触点を移動するジェスチャー操作を受け付ける操作受付手段と、
前記操作受付手段にてジェスチャー操作を受け付けた場合に、前記第１の印刷ページよりも前の印刷ページである第２の印刷ページの割り付け状態を維持しつつ、前記複数の接触点に対応する少なくとも１つの画像の割り付け状態を変更する変更手段と、
前記操作受付手段にて受け付けたジェスチャー操作に基づいて、前記第１の印刷ページに割り付けられた画像の中から少なくとも１つの画像を選択する画像選択手段とを備え、
前記変更手段は、前記画像選択手段にて選択した画像を９０度回転し、かつ前記画像選択手段にて選択した画像のサイズを変更し、
前記画像選択手段が、偶数番の配列順序を有する１つの画像を選択した場合、前記変更手段は、前記画像選択手段にて選択した画像と、前記画像選択手段にて選択した画像の直前の配列順序を有する画像との間に空白の画像を挿入する、表示装置。
【請求項２】
タッチパネル式の表示部と、
複数の印刷ページの各々に画像を割り付ける割付手段と、
前記割付手段にて画像を割り付けた場合に、前記複数の印刷ページのうち第１の印刷ページを前記表示部に表示する割付表示手段と、
前記割付表示手段にて表示された前記第１の印刷ページ内を起点として、前記表示部との複数の接触点を移動するジェスチャー操作を受け付ける操作受付手段と、
前記操作受付手段にてジェスチャー操作を受け付けた場合に、前記第１の印刷ページよりも前の印刷ページである第２の印刷ページの割り付け状態を維持しつつ、前記複数の接触点に対応する少なくとも１つの画像の割り付け状態を変更する変更手段と、
前記操作受付手段にて受け付けたジェスチャー操作に基づいて、前記第１の印刷ページに割り付けられた画像の中から少なくとも１つの画像を選択する画像選択手段とを備え、
前記変更手段は、前記画像選択手段にて選択した画像を９０度回転し、かつ前記画像選択手段にて選択した画像のサイズを変更し、
前記画像選択手段が複数の画像を選択した場合において、前記操作受付手段が、前記表示部との２つの接触点で円を描くジェスチャー操作である回転操作であって、回転操作の前後で回転の中心が、前記画像選択手段にて選択した画像のうち前の配列順序を有する画像の方に移動しない回転操作を受け付けたときは、前記変更手段は、前記画像選択手段にて選択した画像を拡大し、
前記画像選択手段が複数の画像を選択した場合において、前記操作受付手段が、前記表示部との２つの接触点で円を描くジェスチャー操作である回転操作であって、回転操作の前後で回転の中心が、前記画像選択手段にて選択した画像のうち前の配列順序を有する画像の方に移動する回転操作を受け付けたときは、前記変更手段は、前記画像選択手段にて選択した画像を縮小する、表示装置。
【請求項３】
前記操作受付手段は、前記表示部との２つの接触点を移動するジェスチャー操作を受け付け、
前記画像選択手段は、前記２つの接触点を結ぶ直線が対角線になるような矩形の領域に存在する画像を選択する、請求項１または２に記載の表示装置。
【請求項４】
前記変更手段は、前記画像選択手段にて選択した画像が拡大された結果、前記画像選択手段にて選択した画像の直後の配列順序を有する画像を割り付けるスペースが前記第１の印刷ページ内に無くなった場合には、前記画像選択手段にて選択した画像の直後の配列順序を有する画像であって、前記第１の印刷ページに割り付けられていた画像を、前記第１の印刷ページの直後の印刷ページに割り付ける、請求項１〜３のいずれかに記載の表示装置。
【請求項５】
前記変更手段は、前記画像選択手段にて選択した画像が縮小された結果、縮小後の前記画像選択手段にて選択した画像と同じサイズの画像を割り付け可能なスペースが前記第１の印刷ページ内に生じた場合には、前記画像選択手段にて選択した画像の直後の配列順序を有する画像であって、前記第１の印刷ページの直後の印刷ページに割り付けられていた画像を、前記第１の印刷ページに割り付ける、請求項１〜４のいずれかに記載の表示装置。
【請求項６】
前記画像選択手段が１つの画像を選択した場合において、前記操作受付手段が、前記表示部との２つの接触点を互いに遠ざけるジェスチャー操作であるピンチアウト操作を受け付けたときは、前記変更手段は、前記画像選択手段にて選択した画像を拡大し、
前記画像選択手段が１つの画像を選択した場合において、前記操作受付手段が、前記表示部との２つの接触点を互いに近づけるジェスチャー操作であるピンチイン操作を受け付けたときは、前記変更手段は、前記画像選択手段にて選択した画像と、前記画像選択手段にて選択した画像の直前または直後の配列順序を有する画像とを縮小する、請求項１〜５のいずれかに記載の表示装置。
【請求項７】
前記画像選択手段が１つの画像を選択した場合において、前記操作受付手段が、前記表示部との１つのみの接触点を移動させるジェスチャー操作であるドラッグ操作を受け付けたときは、前記変更手段は、前記画像選択手段にて選択した画像と、前記画像選択手段にて選択した画像の直前の配列順序を有する画像とを縮小する、請求項１〜６のいずれかに記載の表示装置。
【請求項８】
タッチパネル式の表示部を備えた表示装置の制御方法であって、
複数の印刷ページの各々に画像を割り付ける割付ステップと、
前記割付ステップにて画像を割り付けた場合に、前記複数の印刷ページのうち第１の印刷ページを前記表示部に表示する割付表示ステップと、
前記割付表示ステップにて表示された前記第１の印刷ページ内を起点として、前記表示部との複数の接触点を移動するジェスチャー操作を受け付ける操作受付ステップと、
前記操作受付ステップにてジェスチャー操作を受け付けた場合に、前記第１の印刷ページよりも前の印刷ページである第２の印刷ページの割り付け状態を維持しつつ、前記複数の接触点に対応する少なくとも１つの画像の割り付け状態を変更する変更ステップと、
前記操作受付ステップにて受け付けたジェスチャー操作に基づいて、前記第１の印刷ページに割り付けられた画像の中から少なくとも１つの画像を選択する画像選択ステップとを備え、
前記変更ステップにおいて、前記画像選択ステップにて選択した画像を９０度回転し、かつ前記画像選択ステップにて選択した画像のサイズを変更し、
前記画像選択ステップにおいて、偶数番の配列順序を有する１つの画像を選択した場合、前記変更ステップにおいて、前記画像選択ステップにて選択した画像と、前記画像選択ステップにて選択した画像の直前の配列順序を有する画像との間に空白の画像を挿入する、表示装置の制御方法。
【請求項９】
タッチパネル式の表示部を備えた表示装置の制御方法であって、
複数の印刷ページの各々に画像を割り付ける割付ステップと、
前記割付ステップにて画像を割り付けた場合に、前記複数の印刷ページのうち第１の印刷ページを前記表示部に表示する割付表示ステップと、
前記割付表示ステップにて表示された前記第１の印刷ページ内を起点として、前記表示部との複数の接触点を移動するジェスチャー操作を受け付ける操作受付ステップと、
前記操作受付ステップにてジェスチャー操作を受け付けた場合に、前記第１の印刷ページよりも前の印刷ページである第２の印刷ページの割り付け状態を維持しつつ、前記複数の接触点に対応する少なくとも１つの画像の割り付け状態を変更する変更ステップと、
前記操作受付ステップにて受け付けたジェスチャー操作に基づいて、前記第１の印刷ページに割り付けられた画像の中から少なくとも１つの画像を選択する画像選択ステップとを備え、
前記変更ステップにおいて、前記画像選択ステップにて選択した画像を９０度回転し、かつ前記画像選択ステップにて選択した画像のサイズを変更し、
前記画像選択ステップにおいて複数の画像を選択した場合において、前記操作受付ステップにおいて、前記表示部との２つの接触点で円を描くジェスチャー操作である回転操作であって、回転操作の前後で回転の中心が、前記画像選択ステップにて選択した画像のうち前の配列順序を有する画像の方に移動しない回転操作を受け付けたときは、前記変更ステップにおいて、前記画像選択ステップにて選択した画像を拡大し、
前記画像選択ステップにおいて複数の画像を選択した場合において、前記操作受付ステップにおいて、前記表示部との２つの接触点で円を描くジェスチャー操作である回転操作であって、回転操作の前後で回転の中心が、前記画像選択ステップにて選択した画像のうち前の配列順序を有する画像の方に移動する回転操作を受け付けたときは、前記変更ステップにおいて、前記画像選択ステップにて選択した画像を縮小する、表示装置の制御方法。
【請求項１０】
前記操作受付ステップにおいて、前記表示部との２つの接触点を移動するジェスチャー操作を受け付け、
前記画像選択ステップにおいて、前記２つの接触点を結ぶ直線が対角線になるような矩形の領域に存在する画像を選択する、請求項８または９に記載の表示装置の制御方法。
【請求項１１】
前記変更ステップにおいて、前記画像選択ステップにて選択した画像が拡大された結果、前記画像選択ステップにて選択した画像の直後の配列順序を有する画像を割り付けるスペースが前記第１の印刷ページ内に無くなった場合には、前記画像選択ステップにて選択した画像の直後の配列順序を有する画像であって、前記第１の印刷ページに割り付けられていた画像を、前記第１の印刷ページの直後の印刷ページに割り付ける、請求項８〜１０のいずれかに記載の表示装置の制御方法。
【請求項１２】
前記変更ステップにおいて、前記画像選択ステップにて選択した画像が縮小された結果、縮小後の前記画像選択ステップにて選択した画像と同じサイズの画像を割り付け可能なスペースが前記第１の印刷ページ内に生じた場合には、前記画像選択ステップにて選択した画像の直後の配列順序を有する画像であって、前記第１の印刷ページの直後の印刷ページに割り付けられていた画像を、前記第１の印刷ページに割り付ける、請求項８〜１１のいずれかに記載の表示装置の制御方法。
【請求項１３】
前記画像選択ステップにおいて１つの画像を選択した場合において、前記操作受付ステップにおいて、前記表示部との２つの接触点を互いに遠ざけるジェスチャー操作であるピンチアウト操作を受け付けたときは、前記変更ステップにおいて、前記画像選択ステップにて選択した画像を拡大し、
前記画像選択ステップにおいて１つの画像を選択した場合において、前記操作受付ステップにおいて、前記表示部との２つの接触点を互いに近づけるジェスチャー操作であるピンチイン操作を受け付けたときは、前記変更ステップにおいて、前記画像選択ステップにて選択した画像と、前記画像選択ステップにて選択した画像の直前または直後の配列順序を有する画像とを縮小する、請求項８〜１２のいずれかに記載の表示装置の制御方法。
【請求項１４】
前記画像選択ステップにおいて１つの画像を選択した場合において、前記操作受付ステップにおいて、前記表示部との１つのみの接触点を移動させるジェスチャー操作であるドラッグ操作を受け付けたときは、前記変更ステップにおいて、前記画像選択ステップにて選択した画像と、前記画像選択ステップにて選択した画像の直前の配列順序を有する画像とを縮小する、請求項８〜１３のいずれかに記載の表示装置の制御方法。
【請求項１５】
請求項８〜１４のいずれかに記載の表示装置の制御方法をコンピューターに実行させるための、表示装置の制御プログラム。
【発明の詳細な説明】
【技術分野】
【０００１】
本発明は、表示装置、表示装置の制御方法、および表示装置の制御プログラムに関し、より特定的には、画像が割り付けられた印刷ページを表示する表示装置、表示装置の制御方法、および表示装置の制御プログラムに関する。
【背景技術】
【０００２】
電子写真式の画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
従来の画像形成装置は、印刷の仕上がりを事前にチェックするための機能としてプレビュー機能を有している。この機能によれば、スキャナーで読み取った原稿の画像などを、印刷結果をシミュレートした状態で（プレビュー画像として）画像形成装置の操作パネルの表示部などに表示することで、原稿の向きや画像の大きさなどを簡易的にチェックすることができる。
【０００４】
また、従来の画像形成装置の中には、タッチパネル式の操作パネルを搭載しているものがある。この種の携帯通信端末によれば、ユーザーは、操作パネルの表示部に対してタッチ操作やジェスチャー操作を行うことで、より直感的に画像形成装置を操作することができる。
【０００５】
たとえば下記特許文献１および２には、画像形成装置が、操作パネルの表示部にプレビュー画像を表示した状態で、ユーザーからのジェスチャー操作を受け付けた場合に行う処理が開示されている。下記特許文献１には、Ｎｉｎ１印刷（Ｎは自然数）の設定で作成された第１および第２ページのページイメージが互いに間隔を空けて配置されている状態で、第２ページのページイメージを第１ページのページイメージと並ぶ位置まで移動させるドラッグ操作が行われ、その後ドロップ操作が行われると、Ｎｉｎ１印刷の設定を２Ｎｉｎ１印刷の設定に変更する情報処理装置が開示されている。
【０００６】
また下記特許文献２には、操作部を介してユーザーによって入力される座標情報の軌跡をジェスチャーとして認識する認識手段と、認識手段によって認識されたジェスチャーに従って、画像データを処理するための設定を行う設定手段とを備えた画像処理装置が開示されている。設定手段は、ジェスチャーの位置に応じて異なる設定（ステープル位置の設定や２ｉｎ１の設定など）を行う。
【先行技術文献】
【特許文献】
【０００７】
【特許文献１】特開２００６−２７７０５７号公報
【特許文献２】特開２０１１−１３８２３７号公報
【発明の概要】
【発明が解決しようとする課題】
【０００８】
あるファイルの印刷設定としてＮｉｎ１印刷の設定を受け付けた場合、通常、画像形成装置は、そのファイルに含まれる全ての画像を同じ倍率で縮小し、各ページに同じ数の画像を割り付ける。
【０００９】
Ｎｉｎ１印刷の設定が行われたファイルのプレビュー画像を確認した結果、たとえば、ファイルに含まれる特定の画像に含まれる文字が小さくて読み取りにくいなどの問題を発見した場合、ユーザーは、ファイルに含まれる他の画像のサイズや向きを維持したままで、特定の画像のサイズや向きを部分的に変更することを望む。ところが、従来の画像形成装置は、ファイルに含まれる全ての画像を同じ倍率で縮小し、ファイルに含まれる全ての画像を同じ向きで印刷ページに割り付けていたため、特定の印刷ページの割り付け状態を部分的に変更することはできず、利便性が悪かった。
【００１０】
本発明は、上記課題を解決するためのものであり、その目的は、利便性の良い表示装置、表示装置の制御方法、および表示装置の制御プログラムを提供することである。
【課題を解決するための手段】
【００１１】
本発明の一の局面に従う表示装置は、タッチパネル式の表示部と、複数の印刷ページの各々に画像を割り付ける割付手段と、割付手段にて画像を割り付けた場合に、複数の印刷ページのうち第１の印刷ページを表示部に表示する割付表示手段と、割付表示手段にて表示された第１の印刷ページ内を起点として、表示部との複数の接触点を移動するジェスチャー操作を受け付ける操作受付手段と、操作受付手段にてジェスチャー操作を受け付けた場合に、第１の印刷ページの前のページである第２の印刷ページの割り付け状態を維持しつつ、複数の接触点に対応する少なくとも１つの画像の割り付け状態を変更する変更手段とを備え、操作受付手段にて受け付けたジェスチャー操作に基づいて、第１の印刷ページに割り付けられた画像の中から少なくとも１つの画像を選択する画像選択手段とを備え、変更手段は、画像選択手段にて選択した画像を９０度回転し、かつ画像選択手段にて選択した画像のサイズを変更し、画像選択手段が、偶数番の配列順序を有する１つの画像を選択した場合、変更手段は、画像選択手段にて選択した画像と、画像選択手段にて選択した画像の直前の配列順序を有する画像との間に空白の画像を挿入する。
本発明の他の局面に従う表示装置は、タッチパネル式の表示部と、複数の印刷ページの各々に画像を割り付ける割付手段と、割付手段にて画像を割り付けた場合に、複数の印刷ページのうち第１の印刷ページを表示部に表示する割付表示手段と、割付表示手段にて表示された第１の印刷ページ内を起点として、表示部との複数の接触点を移動するジェスチャー操作を受け付ける操作受付手段と、操作受付手段にてジェスチャー操作を受け付けた場合に、第１の印刷ページよりも前の印刷ページである第２の印刷ページの割り付け状態を維持しつつ、複数の接触点に対応する少なくとも１つの画像の割り付け状態を変更する変更手段と、操作受付手段にて受け付けたジェスチャー操作に基づいて、第１の印刷ページに割り付けられた画像の中から少なくとも１つの画像を選択する画像選択手段とを備え、変更手段は、画像選択手段にて選択した画像を９０度回転し、かつ画像選択手段にて選択した画像のサイズを変更し、画像選択手段が複数の画像を選択した場合において、操作受付手段が、表示部との２つの接触点で円を描くジェスチャー操作である回転操作であって、回転操作の前後で回転の中心が、画像選択手段にて選択した画像のうち前の配列順序を有する画像の方に移動しない回転操作を受け付けたときは、変更手段は、画像選択手段にて選択した画像を拡大し、画像選択手段が複数の画像を選択した場合において、操作受付手段が、表示部との２つの接触点で円を描くジェスチャー操作である回転操作であって、回転操作の前後で回転の中心が、画像選択手段にて選択した画像のうち前の配列順序を有する画像の方に移動する回転操作を受け付けたときは、変更手段は、画像選択手段にて選択した画像を縮小する。
【００１３】
上記表示装置において好ましくは、操作受付手段は、表示部との２つの接触点を移動するジェスチャー操作を受け付け、画像選択手段は、２つの接触点を結ぶ直線が対角線になるような矩形の領域に存在する画像を選択する。
【００１４】
上記表示装置において好ましくは、変更手段は、画像選択手段にて選択した画像が拡大された結果、画像選択手段にて選択した画像の直後の配列順序を有する画像を割り付けるスペースが第１の印刷ページ内に無くなった場合には、画像選択手段にて選択した画像の直後の配列順序を有する画像であって、第１の印刷ページに割り付けられていた画像を、第１の印刷ページの直後の印刷ページに割り付ける。
【００１５】
上記表示装置において好ましくは、変更手段は、画像選択手段にて選択した画像が縮小された結果、縮小後の画像選択手段にて選択した画像と同じサイズの画像を割り付け可能なスペースが第１の印刷ページ内に生じた場合には、画像選択手段にて選択した画像の直後の配列順序を有する画像であって、第１の印刷ページの直後の印刷ページに割り付けられていた画像を、第１の印刷ページに割り付ける。
【００１８】
上記表示装置において好ましくは、画像選択手段が１つの画像を選択した場合において、操作受付手段が、表示部との２つの接触点を互いに遠ざけるジェスチャー操作であるピンチアウト操作を受け付けたときは、変更手段は、画像選択手段にて選択した画像を拡大し、画像選択手段が１つの画像を選択した場合において、操作受付手段が、表示部との２つの接触点を互いに近づけるジェスチャー操作であるピンチイン操作を受け付けたときは、変更手段は、画像選択手段にて選択した画像と、画像選択手段にて選択した画像の直前または直後の配列順序を有する画像とを縮小する。
【００１９】
上記表示装置において好ましくは、画像選択手段が１つの画像を選択した場合において、操作受付手段が、表示部との１つのみの接触点を移動させるジェスチャー操作であるドラッグ操作を受け付けたときは、変更手段は、画像選択手段にて選択した画像と、画像選択手段にて選択した画像の直前の配列順序を有する画像とを縮小する。
【００２０】
本発明のさらに他の局面に従う表示装置の制御方法は、タッチパネル式の表示部を備えた表示装置の制御方法であって、複数の印刷ページの各々に画像を割り付ける割付ステップと、割付ステップにて画像を割り付けた場合に、複数の印刷ページのうち第１の印刷ページを表示部に表示する割付表示ステップと、割付表示ステップにて表示された第１の印刷ページ内を起点として、表示部との複数の接触点を移動するジェスチャー操作を受け付ける操作受付ステップと、操作受付ステップにてジェスチャー操作を受け付けた場合に、第１の印刷ページよりも前の印刷ページである第２の印刷ページの割り付け状態を維持しつつ、複数の接触点に対応する少なくとも１つの画像の割り付け状態を変更する変更ステップと、操作受付ステップにて受け付けたジェスチャー操作に基づいて、第１の印刷ページに割り付けられた画像の中から少なくとも１つの画像を選択する画像選択ステップとを備え、変更ステップにおいて、画像選択ステップにて選択した画像を９０度回転し、かつ画像選択ステップにて選択した画像のサイズを変更し、画像選択ステップにおいて、偶数番の配列順序を有する１つの画像を選択した場合、変更ステップにおいて、画像選択ステップにて選択した画像と、画像選択ステップにて選択した画像の直前の配列順序を有する画像との間に空白の画像を挿入する。
本発明のさらに他の局面に従う表示装置の制御方法は、タッチパネル式の表示部を備えた表示装置の制御方法であって、複数の印刷ページの各々に画像を割り付ける割付ステップと、割付ステップにて画像を割り付けた場合に、複数の印刷ページのうち第１の印刷ページを表示部に表示する割付表示ステップと、割付表示ステップにて表示された第１の印刷ページ内を起点として、表示部との複数の接触点を移動するジェスチャー操作を受け付ける操作受付ステップと、操作受付ステップにてジェスチャー操作を受け付けた場合に、第１の印刷ページよりも前の印刷ページである第２の印刷ページの割り付け状態を維持しつつ、複数の接触点に対応する少なくとも１つの画像の割り付け状態を変更する変更ステップと、操作受付ステップにて受け付けたジェスチャー操作に基づいて、第１の印刷ページに割り付けられた画像の中から少なくとも１つの画像を選択する画像選択ステップとを備え、変更ステップにおいて、画像選択ステップにて選択した画像を９０度回転し、かつ画像選択ステップにて選択した画像のサイズを変更し、画像選択ステップにおいて複数の画像を選択した場合において、操作受付ステップにおいて、表示部との２つの接触点で円を描くジェスチャー操作である回転操作であって、回転操作の前後で回転の中心が、画像選択ステップにて選択した画像のうち前の配列順序を有する画像の方に移動しない回転操作を受け付けたときは、変更ステップにおいて、画像選択ステップにて選択した画像を拡大し、画像選択ステップにおいて複数の画像を選択した場合において、操作受付ステップにおいて、表示部との２つの接触点で円を描くジェスチャー操作である回転操作であって、回転操作の前後で回転の中心が、画像選択ステップにて選択した画像のうち前の配列順序を有する画像の方に移動する回転操作を受け付けたときは、変更ステップにおいて、画像選択ステップにて選択した画像を縮小する。
上記制御方法において好ましくは、操作受付ステップにおいて、表示部との２つの接触点を移動するジェスチャー操作を受け付け、画像選択ステップにおいて、２つの接触点を結ぶ直線が対角線になるような矩形の領域に存在する画像を選択する。
上記制御方法において好ましくは、変更ステップにおいて、画像選択ステップにて選択した画像が拡大された結果、画像選択ステップにて選択した画像の直後の配列順序を有する画像を割り付けるスペースが第１の印刷ページ内に無くなった場合には、画像選択ステップにて選択した画像の直後の配列順序を有する画像であって、第１の印刷ページに割り付けられていた画像を、第１の印刷ページの直後の印刷ページに割り付ける。
上記制御方法において好ましくは、変更ステップにおいて、画像選択ステップにて選択した画像が縮小された結果、縮小後の画像選択ステップにて選択した画像と同じサイズの画像を割り付け可能なスペースが第１の印刷ページ内に生じた場合には、画像選択ステップにて選択した画像の直後の配列順序を有する画像であって、第１の印刷ページの直後の印刷ページに割り付けられていた画像を、第１の印刷ページに割り付ける。
上記制御方法において好ましくは、画像選択ステップにおいて１つの画像を選択した場合において、操作受付ステップにおいて、表示部との２つの接触点を互いに遠ざけるジェスチャー操作であるピンチアウト操作を受け付けたときは、変更ステップにおいて、画像選択ステップにて選択した画像を拡大し、画像選択ステップにおいて１つの画像を選択した場合において、操作受付ステップにおいて、表示部との２つの接触点を互いに近づけるジェスチャー操作であるピンチイン操作を受け付けたときは、変更ステップにおいて、画像選択ステップにて選択した画像と、画像選択ステップにて選択した画像の直前または直後の配列順序を有する画像とを縮小する。
上記制御方法において好ましくは、画像選択ステップにおいて１つの画像を選択した場合において、操作受付ステップにおいて、表示部との１つのみの接触点を移動させるジェスチャー操作であるドラッグ操作を受け付けたときは、変更ステップにおいて、画像選択ステップにて選択した画像と、画像選択ステップにて選択した画像の直前の配列順序を有する画像とを縮小する。
【００２１】
本発明のさらに他の局面に従う表示装置の制御プログラムは、上記の表示装置の制御方法をコンピューターに実行させるためのものである。
【発明の効果】
【００２２】
本発明によれば、利便性の良い表示装置、表示装置の制御方法、および表示装置の制御プログラムを提供することができる。
【図面の簡単な説明】
【００２３】
【図１】本発明の一実施の形態における画像形成装置の構成を示す一部断面図である。
【図２】本発明の一実施の形態における画像形成装置の構成を示すブロック図である。
【図３】図１に示す操作パネル１０１の概観を示す図である。
【図４】本発明の一実施の形態において、第１の操作を受け付けた場合の画像形成装置１の動作を説明する図である。
【図５】本発明の一実施の形態において、第２の操作を受け付けた場合の画像形成装置１の動作を説明する図である。
【図６】本発明の一実施の形態において、第３の操作を受け付けた場合の画像形成装置１の動作を説明する図である。
【図７】本発明の一実施の形態において、第４の操作を受け付けた場合の画像形成装置１の動作を説明する図である。
【図８】本発明の一実施の形態において、第５の操作を受け付けた場合の画像形成装置１の動作を説明する図である。
【図９】本発明の一実施の形態において、第６の操作を受け付けた場合の画像形成装置１の動作を説明する図である。
【図１０】本発明の一実施の形態において、第７の操作を受け付けた場合の画像形成装置１の動作を説明する図である。
【図１１】本発明の一実施の形態において、第８の操作を受け付けた場合の画像形成装置１の動作を説明する図である。
【図１２】本発明の一実施の形態において、第９の操作を受け付けた場合の画像形成装置１の動作を説明する図である。
【図１３】プレビュー画像を表示している状況で、回転操作（第１〜第６の操作のいずれかの操作）を受け付けた場合の画像形成装置の動作を示すフローチャートである。
【図１４】プレビュー画像を表示している状況で、ピンチイン操作またはピンチアウト操作操作（第７または第８の操作）を受け付けた場合の画像形成装置の動作を示すフローチャートである。
【図１５】プレビュー画像を表示している状況で、ドラッグ操作（第９の操作）を受け付けた場合の画像形成装置の動作を示すフローチャートである。
【発明を実施するための形態】
【００２４】
以下、本発明の一実施の形態について、図面に基づいて説明する。
【００２５】
以下の実施の形態においては、表示装置が画像形成装置である場合について説明する。画像形成装置は、電子写真方式や静電記録方式などによって画像形成を行うものであり、ＭＦＰ、ファクシミリ装置、複写機、またはプリンターなどである。表示装置は、プレビュー画像を表示可能なものであればよく、画像形成装置の他、スキャナー、携帯電話、またはタブレットＰＣ（Ｐｅｒｓｏｎａｌ  Ｃｏｍｐｕｔｅｒ）などであってもよい。
【００２６】
本明細書において、印刷ページの割り付け状態の変更とは、印刷ページ内に割り付けられた画像の個数（白紙画像を除く個数）、種類、およびサイズのうち少なくともいずれか１つの変更を意味している。印刷ページの割り付け状態の維持とは、印刷ページ内に割り付けられた画像の個数（白紙画像を除く個数）、種類、およびサイズの維持を意味している。Ｎｉｎ１印刷とは、１つの印刷ページにＮ（Ｎは自然数）個ずつ画像を割り付ける印刷を意味している。ジェスチャー操作とは、表示部との少なくとも１つの接触点を移動させる操作を意味している。ジェスチャー操作には、回転操作、ピンチイン操作、ピンチアウト操作、ドラッグ操作などが含まれる。
【００２７】
［画像形成装置の構成］
【００２８】
始めに、本実施の形態における画像形成装置の構成について説明する。
【００２９】
図１は、本発明の一実施の形態における画像形成装置の構成を示す一部断面図である。図２は、本発明の一実施の形態における画像形成装置の構成を示すブロック図である。
【００３０】
図１および図２を参照して、本実施の形態における画像形成装置１（表示装置の一例）は、ここではＭＦＰであり、スキャナー装置１００と、操作パネル（表示部の一例、タッチパネル操作部）１０１と、画像処理装置１０２と、印刷装置１０３と、制御部１０４とを備えている。スキャナー装置１００、操作パネル１０１、画像処理装置１０２、印刷装置１０３、および制御部１０４の各々は、バスを通じて互いに接続されている。
【００３１】
スキャナー装置１００は、画像形成装置１本体の上部に設けられている。スキャナー装置１００は、読取部１００ａを含んでいる。スキャナー装置１００は、読取部１００ａで原稿の画像を読み取り、読み取った画像のファイルを画像処理装置１０２などに送信する。
【００３２】
操作パネル１０１は、画像形成装置１本体におけるスキャナー装置１００の下に設けられている。操作パネル１０１は、タッチパネル式であり、表示パネル１０１ａと、検出部１０１ｂとを含んでいる。表示パネル１０１ａは、操作画面などの各種情報を表示する。検出部１０１ｂは、ユーザーによる表示パネル１０１ａへのタッチ操作や、ジェスチャー操作や、操作パネル１０１の各種ハードウェアキーの押下などを検出する。
【００３３】
画像処理装置１０２は、画像形成装置１本体内部に設けられている。画像処理装置１０２は、画像編集部１０２ａと、画像記憶部１０２ｂとを含んでいる。画像編集部１０２ａは、ユーザーにより行われた印刷の設定などに基づいて、読取部１００ａで読み取った画像のファイルを編集する。画像記憶部１０２ｂ（メモリ）は、たとえばハードディスク装置であり、読取部１００ａで読み取った画像のファイルや、画像編集部１０２ａで編集された画像のファイルなどの各種情報を一時的に記憶する。
【００３４】
印刷装置１０３は、印刷部１０３ａと、ステープル部１０３ｂとを含んでいる。印刷部１０３ａは、画像形成装置１本体内部に設けられており、画像編集部１０２ａで編集された画像を用紙に印刷する。ステープル部１０３ｂは、画像形成装置１本体の図１中左側に設けられており、印刷部１０３ａで印刷された用紙に対して、ステープルなどの後処理を施す。
【００３５】
制御部１０４は、画像形成装置１本体内部に設けられている。制御部１０４は、ＣＰＵ（Ｃｅｎｔｒａｌ  Ｐｒｏｃｅｓｓｉｎｇ  Ｕｎｉｔ）１０４ａと、ＲＯＭ（Ｒｅａｄ  Ｏｎｌｙ  Ｍｅｍｏｒｙ）１０４ｂと、ＲＡＭ（Ｒａｎｄｏｍ  Ａｃｃｅｓｓ  Ｍｅｍｏｒｙ）１０４ｃなどを含んでいる。ＣＰＵ１０４ａは、画像形成装置１各部の動作を総括的に制御する。ＲＯＭ１０４ｂは、画像形成装置１の動作を制御する制御プログラムを格納する。ＲＡＭ１０４ｃはＣＰＵ１０４ａの作業用のメモリである。
【００３６】
図３は、図１に示す操作パネル１０１の概観を示す図である。
【００３７】
図３を参照して、操作パネル１０１は、表示パネル１０１ａと、画像形成装置１のファクシミリ機能またはスキャン機能を利用する際に押下されるファクシミリ／スキャンキー１１３と、プレビュー機能を設定する際に押下されるプレビューキー１１４と、各機能のジョブの実行指示を受け付けるスタートキー１１５と、実行中のジョブを停止する指示を受け付けるストップキー１１６と、各種数値の入力を受け付けるテンキー１１７などを含んでいる。
【００３８】
［画像形成装置の動作］
【００３９】
次に、Ｎｉｎ１印刷の設定が行われたファイルのプレビュー画像を操作パネル１０１に表示した場合の、画像形成装置１の動作（画像の編集方法）について説明する。ここでは、プレビュー画像を操作パネル１０１に表示した状態で、第１〜第９の操作を受け付けた場合の画像形成装置の動作について順番に説明する。
【００４０】
画像形成装置１は、スキャナー装置１００に原稿がセットされた状態で、スキャンジョブの実行指示を受け付けると、原稿の画像を読み取り、読み取った画像のファイルを一時的にメモリに記憶する。画像形成装置１は、メモリに記憶したファイルに対してのＮｉｎ１印刷の設定を受け付けると、メモリに記憶したファイルを読み出し、１つの印刷ページにＮ個ずつファイルの画像を割り付け（集約し）、画像が割り付けられた印刷ページよりなるファイルをメモリに記憶する。画像形成装置１は、ファイルのプレビュー表示の指示を受け付けると、メモリに記憶したファイルを読み出し、画像が割り付けられた印刷ページのプレビュー画像を操作パネル１０１に表示する。
【００４１】
図４は、本発明の一実施の形態において、第１の操作を受け付けた場合の画像形成装置１の動作を説明する図である。図４〜図１２において、画像に付されている１〜１０の数字は、画像の配列順序を示している。図４〜図１２において、選択された画像にはハッチングが付されていることがある。
【００４２】
図４（ａ）を参照して、以降の第１〜第５、第８、および第９の操作では次の状況を前提としている。画像形成装置１は、１０枚の画像よりなるファイルを、１つの印刷ページに４個ずつ画像を割り付け（４ｉｎ１印刷の設定で集約し）、２ページ目の印刷ページのプレビュー画像を表示パネル１０１ａに表示している。なお、１ページ目の印刷ページには１枚目〜４枚目の画像が集約され、２ページ目の印刷ページには５枚目〜８枚目の画像が集約され、３ページ目の印刷ページには９枚目および１０枚目の画像が集約されている。画像のサイズは、全て同じである。なお、２ページ目の印刷ページのプレビュー画像は、１ページ目の印刷ページのプレビュー画像とともに表示されてもよいし、３ページ目の印刷ページのプレビュー画像とともに表示されてもよいし、１ページ目および３ページ目の印刷ページのプレビュー画像とともに表示されてもよい。
【００４３】
第１の操作として、ユーザーは、２ページ目の印刷ページにおける５枚目の画像内の点と６枚目の画像内の点とを起点として、これらの点の中間点Ｏを中心とする左方向への回転操作を表示パネル１０１ａ上で行う。
【００４４】
画像形成装置１は、操作を受け付けると、受け付けた操作に基づいて、２ページ目の印刷ページに割り付けられた画像の中から少なくとも１つの画像を選択する。選択した画像は、サイズを変更する対象の画像となる。画像形成装置１は、（ｂ）に示すように、回転操作の起点となった２つの接触点を結ぶ直線が対角線になるような矩形のエリアＡＲ１を特定し、その内部に存在する５枚目および６枚目の画像を選択する（図中斜線部）。画像形成装置１は、回転操作を検知する前に、２つの接触点に基づいて画像の選択を行ってもよい。
【００４５】
画像形成装置１は、回転操作の前後で、回転の中心である点Ｏが、選択した画像のうち前の配列順序を有する５枚目の画像の方に移動しない場合、（ｃ）に示すように、５枚目および６枚目の画像を、受け付けた操作の回転方向（左方向）に９０度回転し、かつ５枚目および６枚目の画像を拡大する。画像形成装置１は、５枚目および６枚目の画像の回転後の短辺方向（印刷ページの短辺方向、図４中横方向）のサイズＬ２と、５枚目および６枚目の画像の回転前の印刷エリアの短辺方向のサイズＬ１とが同じになるように、５枚目および６枚目の画像の各々を１．４１倍に拡大する。
【００４６】
画像形成装置１は、選択した画像およびそれよりも後の配列順序を有する画像の位置を調整する。画像形成装置１は、５枚目および６枚目の画像が２ページ目の印刷ページの印刷エリアに収まるように、５枚目および６枚目の画像の位置を調整する。次に画像形成装置１は、（ｄ）に示すように、７枚目以降の画像の位置を調整する。具体的には、５枚目および６枚目の画像が拡大された結果、５枚目および６枚目の画像の直後の配列番号を有する画像であって、２ページ目の印刷ページに割り付けられていた画像である７枚目および８枚目の画像を割り付けるスペースが、２ページ目の印刷ページ内に無くなる。このような場合、画像形成装置１は、７枚目および８枚目の画像を３ページ目の印刷ページに割り付ける。その結果、２ページ目の印刷ページには５枚目および６枚目の画像が集約され、３ページ目の印刷ページには７枚目〜１０枚目の画像が集約される。
【００４７】
第１の操作を受け付けた印刷ページよりも前の印刷ページである、１ページ目の印刷ページに割り付けられた１枚目〜４枚目の画像の位置およびサイズ、ならびに１ページ目の印刷ページの割り付け状態は維持される。
【００４８】
画像形成装置１は、９０度以上の回転操作を受け付けた場合に、その回転角度に応じて９０度刻みでさらに大きな角度だけ、選択した画像を回転させてもよい。
【００４９】
図５は、本発明の一実施の形態において、第２の操作を受け付けた場合の画像形成装置１の動作を説明する図である。
【００５０】
図５（ａ）を参照して、第２の操作として、ユーザーは、２ページ目の印刷ページにおける、６枚目の画像内の点と７枚目の画像内の点とを起点として（または５枚目の画像内の点と８枚目の画像内の点とを起点として）、これらの点の中間点Ｏを中心とする左方向への回転操作を表示パネル１０１ａ上で行う。
【００５１】
画像形成装置１は、操作を受け付けると、受け付けた操作に基づいて画像を選択する。画像形成装置１は、（ｂ）に示すように、回転操作の起点となった２つの接触点を結ぶ直線が対角線になるような矩形のエリアＡＲ１を特定し、その内部に存在する５枚目〜８枚目の画像を選択する（図中斜線部）。
【００５２】
画像形成装置１は、（ｃ）に示すように、５枚目〜８枚目の画像を、受け付けた操作の回転方向（左方向）に９０度回転し、かつ５枚目〜８枚目の画像を縮小する。画像形成装置１は、５枚目〜８枚目の画像の回転後の短辺方向（図５中横方向）のサイズＬ２と、５枚目〜８枚目の画像の回転前の印刷エリアの短辺方向のサイズＬ１とが同じになるように、５枚目〜８枚目の画像の各々を０．７１倍に縮小する。
【００５３】
画像形成装置１は、選択した画像およびそれよりも後の配列順序を有する画像の位置を調整する。画像形成装置１は、回転後の５枚目〜８枚目の画像が２ページ目の印刷ページの印刷エリアの下部に位置するように、５枚目〜８枚目の画像の位置を調整する。次に画像形成装置１は、（ｄ）に示すように、９枚目以降の画像の位置を調整する。具体的には、５枚目〜８枚目の画像が縮小された結果、縮小後の５枚目〜８枚目の画像と同じサイズの画像を割り付け可能なスペースが２ページ目の印刷ページ内に生じる。このような場合、画像形成装置１は、９枚目および１０枚目の画像を、縮小後の５枚目〜８枚目の画像と同じサイズに縮小して、２ページ目の印刷ページに割り付ける。その結果、２ページ目の印刷ページには５枚目〜１０枚目の画像が集約され、割り付けられる画像が無くなった３ページ目の印刷ページは削除される。
【００５４】
第２の操作を受け付けた印刷ページよりも前の印刷ページである、１ページ目の印刷ページに割り付けられた１枚目〜４枚目の画像の位置およびサイズ、ならびに１ページ目の印刷ページの割り付け状態は維持される。
【００５５】
なお、画像形成装置１は、回転操作の前後で、回転の中心である点Ｏが、選択した画像のうち前の配列順序を有する画像の方に移動した場合に限り、上述の動作を行ってもよい。
【００５６】
図６は、本発明の一実施の形態において、第３の操作を受け付けた場合の画像形成装置１の動作を説明する図である。
【００５７】
図６（ａ）を参照して、第３の操作として、ユーザーは、２ページ目の印刷ページにおける、８枚目の画像内の２つの点を起点として、右方向への回転操作を表示パネル１０１ａ上で行う。
【００５８】
画像形成装置１は、操作を受け付けると、受け付けた操作に基づいて画像を選択する。画像形成装置１は、（ｂ）に示すように、回転操作の起点となった２つの接触点を結ぶ直線が対角線になるような矩形のエリアＡＲ１を特定し、その内部に存在する８枚目の画像を選択する（図中斜線部）。
【００５９】
選択した画像が、偶数番の配列順序を有する１つの画像である場合、画像形成装置１は、選択した画像と、選択した画像の直前の配列順序を有する画像との間に白紙画像を挿入する。具体的には、（ｃ）に示すように、８枚目の画像と７枚目の画像との間に白紙画像を挿入する。その結果、２ページ目の印刷ページに割り付けられていた８枚目の画像を割り付けるスペースが、２ページ目の印刷ページ内に無くなり、画像形成装置１は、８枚目の画像を３ページ目の印刷ページに割り付ける。
【００６０】
画像形成装置１は、（ｄ）に示すように、８枚目の画像を、受け付けた操作の回転方向（右方向）に９０度回転し、かつ８枚目の画像を拡大する。画像形成装置１は、８枚目の画像の回転後の長辺方向（印刷ページの短辺方向、図６中縦方向）のサイズＬ２と、８枚目の画像の回転前の印刷エリアの長辺方向のサイズＬ１とが同じになるように、８枚目の画像を１．４１倍に拡大する。
【００６１】
画像形成装置１は、選択した画像およびそれよりも後の配列順序を有する画像の位置を調整する。画像形成装置１は、回転後の８枚目の画像が３ページ目の印刷ページの印刷エリアの上部に位置するように、８枚目の画像の位置を調整する。次に画像形成装置１は、（ｅ）に示すように、９枚目以降の画像の位置を調整する。具体的には、３ページ目の印刷ページの上部には８枚目の画像が割り付けられているので、画像形成装置１は、９枚目および１０枚目の画像を、３ページ目の印刷ページの印刷エリアの下部に割り付ける。その結果、２ページ目の印刷ページには５枚目〜７枚目の画像が集約され、３ページ目の印刷ページには８枚目〜１０枚目の画像が集約される。
【００６２】
第３の操作を受け付けた印刷ページよりも前の印刷ページである、１ページ目の印刷ページに割り付けられた１枚目〜４枚目の画像の位置およびサイズ、ならびに１ページ目の印刷ページの割り付け状態は維持される。
【００６３】
図７は、本発明の一実施の形態において、第４の操作を受け付けた場合の画像形成装置１の動作を説明する図である。
【００６４】
図７（ａ）を参照して、第４の操作として、ユーザーは、２ページ目の印刷ページにおける、７枚目の画像内の２つの点を起点として、右方向への回転操作を表示パネル１０１ａ上で行う。
【００６５】
画像形成装置１は、操作を受け付けると、受け付けた操作に基づいて画像を選択する。画像形成装置１は、（ｂ）に示すように、回転操作の起点となった２つの接触点を結ぶ直線が対角線になるような矩形のエリアＡＲ１を特定し、その内部に存在する７枚目の画像を選択する（図中斜線部）。
【００６６】
選択した画像が、奇数番の配列順序を有する１つの画像である場合、画像形成装置１は、（ｃ）に示すように、選択した７枚目の画像を、受け付けた操作の回転方向（右方向）に９０度回転し、かつ７枚目の画像を拡大する。白紙画像は挿入されない。画像形成装置１は、７枚目の画像の回転後の長辺方向（図７中縦方向）のサイズＬ２と、７枚目の画像の回転前の印刷エリアの長辺方向のサイズＬ１とが同じになるように、７枚目の画像を１．４１倍に拡大する。
【００６７】
続いて画像形成装置１は、選択した画像およびそれよりも後の配列順序を有する画像の位置を調整する。画像形成装置１は、回転後の７枚目の画像が２ページ目の印刷ページの印刷エリアの下部に位置するように、７枚目の画像の位置を調整する。次に画像形成装置１は、（ｄ）に示すように、８枚目以降の画像の位置を調整する。具体的には、７枚目の画像が拡大された結果、７枚目の画像の直後の配列番号を有する画像であって、２ページ目の印刷ページに割り付けられていた画像である８枚目の画像を割り付けるスペースが、２ページ目の印刷ページ内に無くなる。このような場合、画像形成装置１は、８枚目の画像を３ページ目の印刷ページに割り付ける。その結果、２ページ目の印刷ページには５枚目〜７枚目の画像が集約され、３ページ目の印刷ページには８枚目〜１０枚目の画像が集約される。
【００６８】
第４の操作を受け付けた印刷ページよりも前の印刷ページである、１ページ目の印刷ページに割り付けられた１枚目〜４枚目の画像の位置およびサイズ、ならびに１ページ目の印刷ページの割り付け状態は維持される。
【００６９】
図８は、本発明の一実施の形態において、第５の操作を受け付けた場合の画像形成装置１の動作を説明する図である。
【００７０】
図８（ａ）を参照して、第５の操作として、ユーザーは、２ページ目の印刷ページにおける、５枚目の画像内の点と６枚目の画像内の点とを起点として、これらの点の中間点Ｏを中心とする左方向への回転操作を表示パネル１０１ａ上で行う。
【００７１】
画像形成装置１は、操作を受け付けると、受け付けた操作に基づいて画像を選択する。画像形成装置１は、（ｂ）に示すように、回転操作の起点となった２つの接触点を結ぶ直線が対角線になるような矩形のエリアＡＲ１を特定し、その内部に存在する５枚目および６枚目の画像を選択する（図中斜線部）。
【００７２】
画像形成装置１は、回転操作の前後で、回転の中心である点Ｏが、選択した画像のうち前の配列順序を有する画像である５枚目の画像の方に移動した場合、（ｃ）に示すように、５枚目および６枚目の画像を、受け付けた操作の回転方向（左方向）に９０度回転し、かつ５枚目および６枚目の画像を縮小する。画像形成装置１は、５枚目および６枚目の画像の回転後の長辺方向（図８中縦方向）のサイズＬ２と、５枚目および６枚目の画像の回転前の印刷エリアの長辺方向のサイズＬ１とが同じになるように、５枚目および６枚目の画像を０．７１倍に縮小する。
【００７３】
画像形成装置１は、選択した画像およびそれよりも後の配列順序を有する画像の位置を調整する。画像形成装置１は、５枚目および６枚目の画像が２ページ目の印刷ページの印刷エリアの左上に位置するように、５枚目および６枚目の画像の位置を調整する。次に画像形成装置１は、（ｄ）に示すように、７枚目以降の画像の位置を調整する。具体的には、５枚目および６枚目の画像が縮小された結果、縮小前に６枚目の画像が割り付けられていた位置に空きスペースが生じる。このような場合、画像形成装置１は、７枚目および８枚目の画像とともに、９枚目の画像を２ページ目の印刷ページに割り付ける。その結果、２ページ目の印刷ページには５枚目〜９枚目の画像が集約され、３ページ目の印刷ページには１０枚目の画像が集約される。
【００７４】
第５の操作を受け付けた印刷ページよりも前の印刷ページである、１ページ目の印刷ページに割り付けられた１枚目〜４枚目の画像の位置およびサイズ、ならびに１ページ目の印刷ページの割り付け状態は維持される。
【００７５】
なお、回転操作の前後で、回転の中心である点Ｏが、選択した画像のうち前の配列順序を有する画像の方に移動した場合において、点Ｏが閾値ＴＨ以上の距離だけ移動したときに、画像形成装置１は選択した画像の縮小を行い、それ以外のときは、画像形成装置１は選択した画像の拡大を行ってもよい。閾値ＴＨは任意の値であればよく、たとえば集約表示された１枚の画像の短辺方向の幅の５０％の値に設定される。
【００７６】
図９は、本発明の一実施の形態において、第６の操作を受け付けた場合の画像形成装置１の動作を説明する図である。
【００７７】
図９を参照して、以降の第６および第７の操作では次の状況を前提としている。画像形成装置１は、４枚の画像よりなるファイルを、１つの印刷ページに１個ずつ画像を割り付け（１ｉｎ１印刷の設定で集約し）、２ページ目および３ページ目の印刷ページのプレビュー画像を表示パネル１０１ａに表示している。１ページ目の印刷ページには１枚目の画像が集約され、２ページ目の印刷ページには２枚目の画像が集約され、３ページ目の印刷ページには３枚目の画像が集約され、４ページ目の印刷ページには４枚目の画像が集約されている。画像のサイズは、全て同じである。なお、２ページ目および３ページ目の印刷ページのプレビュー画像は、１ページ目の印刷ページのプレビュー画像とともに表示されてもよいし、４ページ目の印刷ページのプレビュー画像とともに表示されてもよいし、１ページ目および４ページ目の印刷ページのプレビュー画像とともに表示されてもよい。
【００７８】
第６の操作として、ユーザーは、２ページ目の印刷ページにおける２枚目の画像内の点と、３ページ目の印刷ページにおける３枚目の画像内の点とを起点として、これらの点の中間点Ｏを中心とする左方向への回転操作を表示パネル１０１ａ上で行う。
【００７９】
画像形成装置１は、操作を受け付けると、受け付けた操作に基づいて画像を選択する。画像形成装置１は、（ｂ）に示すように、回転操作の起点となった２つの接触点を結ぶ直線が対角線になるような矩形のエリアＡＲ１を特定し、その内部に存在する２枚目および３枚目の画像を選択する（図中斜線部）。
【００８０】
画像形成装置１は、回転操作の前後で、回転の中心である点Ｏが、選択した画像のうち前の配列順序を有する画像である２枚目の画像の方に移動した場合、（ｃ）に示すように、２枚目および３枚目の画像を、受け付けた操作の回転方向（左方向）に９０度回転し、かつ２枚目および３枚目の画像を縮小する。画像形成装置１は、２枚目および３枚目の画像の回転後の長辺方向（図９中縦方向）のサイズＬ２と、２枚目および３枚目の画像の回転前の印刷エリアの長辺方向のサイズＬ１とが同じになるように、２枚目および３枚目の画像を０．７１倍に縮小する。
【００８１】
画像形成装置１は、選択した画像およびそれよりも後の配列順序を有する画像の位置を調整する。画像形成装置１は、２枚目および３枚目の画像が２ページ目の印刷ページの印刷エリアに収まるように、２枚目および３枚目の画像の位置を調整する。次に画像形成装置１は、（ｄ）に示すように、４枚目の画像の位置を調整する。具体的には、２枚目および３枚目の画像が縮小された結果、縮小前に３枚目の画像が割り付けられていた３ページ目の印刷ページに空きスペースが生じる。このような場合、画像形成装置１は、４枚目の画像を３ページ目の印刷ページに割り付ける。その結果、２ページ目の印刷ページには２枚目および３枚目の画像が集約され、３ページ目の印刷ページには４枚目の画像が集約される。
【００８２】
第１の操作を受け付けた印刷ページよりも前の印刷ページである、１ページ目の印刷ページに割り付けられた１〜４枚目の画像の位置およびサイズ、ならびに１ページ目の印刷ページの割り付け状態は維持される。
【００８３】
図１０は、本発明の一実施の形態において、第７の操作を受け付けた場合の画像形成装置１の動作を説明する図である。
【００８４】
図１０（ａ）を参照して、第７の操作として、ユーザーは、２ページ目の印刷ページにおける２枚目の画像内の２つの点を起点として、表示パネル１０１ａとの２つの接触点を互いに近付けるジェスチャー操作であるピンチイン操作を表示パネル１０１ａ上で行う。
【００８５】
画像形成装置１は、操作を受け付けると、受け付けた操作に基づいて画像を選択する。画像形成装置１は、（ｂ）に示すように、ピンチイン操作の起点となった２つの接触点を結ぶ直線が対角線になるような矩形のエリアＡＲ１を特定し、その内部に存在する２枚目の画像を選択する（図中斜線部）。
【００８６】
画像形成装置１は、１つの画像を選択した場合において、ピンチイン操作を受け付けたときは、（ｃ）に示すように、選択した画像である２枚目の画像、および選択した画像の直後の配列順序を有する画像である３枚目の画像を左方向または右方向に９０度回転し、かつ２枚目および３枚目の画像を縮小する。画像形成装置１は、２枚目および３枚目の画像の回転後の長辺方向（図１０中縦方向）のサイズＬ２と、２枚目および３枚目の画像の回転前の印刷エリアの長辺方向のサイズＬ１とが同じになるように、２枚目および３枚目の画像の各々を０．７１倍に縮小する。
【００８７】
なお、たとえば印刷ページの集約状態が２ｉｎ１である場合などにおいて、選択した画像が偶数番の配列順序を有する場合には、選択した画像と、選択した画像の直前の配列順序を有する画像を縮小し、選択した画像が奇数番の配列順序を有する場合には、選択した画像と、選択した画像の直後の配列順序を有する画像を縮小してもよい。
【００８８】
画像形成装置１は、選択した画像およびそれよりも後の配列順序を有する画像の位置を調整する。画像形成装置１は、２枚目および３枚目の画像が２ページ目の印刷ページの印刷エリアに収まるように、２枚目および３枚目の画像の位置を調整する。次に画像形成装置１は、（ｄ）に示すように、４枚目の画像の位置を調整する。具体的には、２枚目および３枚目の画像が縮小された結果、３ページ目の印刷ページにはスペースが生じるので、３ページ目の印刷ページに４枚目の画像が集約される。
【００８９】
第７の操作を受け付けた印刷ページよりも前の印刷ページである、１ページ目の印刷ページに割り付けられた１枚目の画像の位置およびサイズ、ならびに１ページ目の印刷ページの割り付け状態は維持される。
【００９０】
図１１は、本発明の一実施の形態において、第８の操作を受け付けた場合の画像形成装置１の動作を説明する図である。
【００９１】
図１１（ａ）を参照して、第８の操作として、ユーザーは、２ページ目の印刷ページにおける、７枚目の画像内の２点を起点として、表示パネル１０１ａとの２つの接触点を互いに遠ざけるジェスチャー操作であるピンチアウト操作を表示パネル１０１ａ上で行う。
【００９２】
画像形成装置１は、操作を受け付けると、受け付けた操作に基づいて画像を選択する。画像形成装置１は、（ｂ）に示すように、ピンチアウト操作の起点となった２つの接触点を結ぶ直線が対角線になるような矩形のエリアＡＲ１を特定し、その内部に存在する７枚目の画像を選択する（図中斜線部）。
【００９３】
画像形成装置１は、１つの画像を選択した場合において、ピンチアウト操作を受け付けたときは、（ｃ）に示すように、選択した画像である７枚目の画像を左方向または右方向に９０度回転し、かつ７枚目の画像を拡大する。画像形成装置１は、７枚目の画像の回転後の長辺方向（図１１中縦方向）のサイズＬ２と、７枚目の画像の回転前の印刷エリアの長辺方向のサイズＬ１とが同じになるように、７枚目の画像を１．４１倍に拡大する。
【００９４】
なお、選択した画像が、偶数番の配列順序を有する１つの画像である場合、画像形成装置１は、選択した画像と、選択した画像の直前の配列順序を有する画像との間に空白の画像を挿入してもよい。
【００９５】
画像形成装置１は、選択した画像およびそれよりも後の配列順序を有する画像の位置を調整する。画像形成装置１は、７枚目の画像が、２ページ目の印刷ページの印刷エリアの下部に位置するように、７枚目の画像の位置を調整する。次に画像形成装置１は、（ｄ）に示すように、８枚目以降の画像の位置を調整する。具体的には、７枚目の画像が拡大された結果、７枚目の画像の直後の配列番号を有する画像であって、２ページ目の印刷ページに割り付けられていた画像である８枚目の画像を割り付けるスペースが、２ページ目の印刷ページ内に無くなる。このような場合、画像形成装置１は、８枚目の画像を３ページ目の印刷ページに割り付ける。その結果、２ページ目の印刷ページには５枚目〜７枚目の画像が集約され、３ページ目の印刷ページには８枚目〜１０枚目の画像が集約される。
【００９６】
第８の操作を受け付けた印刷ページよりも前の印刷ページである、１ページ目の印刷ページに割り付けられた１枚目〜４枚目の画像の位置およびサイズ、ならびに１ページ目の印刷ページの割り付け状態は維持される。
【００９７】
図１２は、本発明の一実施の形態において、第９の操作を受け付けた場合の画像形成装置１の動作を説明する図である。
【００９８】
図１２（ａ）を参照して、第９の操作として、ユーザーは、２ページ目の印刷ページにおける、６枚目の画像内の１つの点を起点として、表示パネル１０１ａとの１つのみの接触点を、たとえば５枚目の画像の方向（図１２中左方向）へ移動させるジェスチャー操作であるドラッグ操作を表示パネル１０１ａ上で行う。
【００９９】
画像形成装置１は、操作を受け付けると、受け付けた操作に基づいて画像を選択する。画像形成装置１は、（ｂ）に示すように、ドラッグ操作の起点となった接触点に存在する６枚目の画像を選択する（図中斜線部）。
【０１００】
画像形成装置１は、１つの画像を選択した場合において、表示パネル１０１ａとの１つのみの接触点を移動させるジェスチャー操作であるドラッグ操作を受け付けたときは、（ｃ）に示すように、選択した画像である６枚目の画像、および選択した画像の直前の配列順序を有する画像である５枚目の画像を左方向または右方向に９０度回転し、かつ５枚目および６枚目の画像を縮小する。画像形成装置１は、５枚目および６枚目の画像の回転後の長辺方向（図１２中縦方向）のサイズＬ２と、５枚目および６枚目の画像の回転前の印刷エリアの長辺方向のサイズＬ１とが同じになるように、５枚目および６枚目の画像の各々を０．７１倍に縮小する。
【０１０１】
画像形成装置１は、選択した画像およびそれよりも後の配列順序を有する画像の位置を調整する。画像形成装置１は、５枚目および６枚目の画像が２ページ目の印刷ページ印刷エリアの左上部に位置するように、５枚目および６枚目の画像の位置を調整する。次に画像形成装置１は、（ｄ）に示すように、７枚目以降の画像の位置を調整する。具体的には、５枚目および６枚目の画像が縮小された結果、縮小前に６枚目の画像が割り付けられていた位置に空きスペースが生じる。このような場合、画像形成装置１は、７枚目および８枚目の画像とともに９枚目の画像を２ページ目の印刷ページに割り付ける。その結果、２ページ目の印刷ページには５枚目〜９枚目の画像が集約され、３ページ目の印刷ページには１０枚目の画像が集約される。
【０１０２】
第９の操作を受け付けた印刷ページよりも前の印刷ページである、１ページ目の印刷ページに割り付けられた１枚目〜４枚目の画像の位置およびサイズ、ならびに１ページ目の印刷ページの割り付け状態は維持される。
【０１０３】
図１３は、プレビュー画像を表示している状況で、回転操作（第１〜第６の操作のいずれかの操作）を受け付けた場合の画像形成装置の動作を示すフローチャートである。
【０１０４】
図１３を参照して、メモリに記憶されているファイルに対してのＮｉｎ１印刷の設定を、操作パネル１０１を通じて受け付けると（Ｓ１０１）、制御部１０４は、ファイルの画像を複数の印刷ページの各々に割り付け（Ｓ１０２）、Ｎｉｎ１印刷の形態で画像が割り付けられた印刷ページを操作パネル１０１にプレビュー表示する（Ｓ１０３）。次に制御部１０４は、表示した印刷ページ内で回転操作の起点となる２つの接触点を検知すると（Ｓ１０５）、起点となった２つの接触点で規定されたエリアを特定し（Ｓ１０７）、特定したエリア内に画像が複数存在するか否かを判別する（Ｓ１０９）。
【０１０５】
ステップＳ１０９において、特定したエリア内に画像が複数存在すると判別した場合（Ｓ１０９でＹＥＳ）、制御部１０４は、エリア内に存在する全ての画像を選択し（Ｓ１１１）、選択した複数の画像の中心を回転処理の中心に設定し（Ｓ１１３）、ステップＳ１１９の処理へ進む。
【０１０６】
ステップＳ１０９において、特定したエリア内に画像が複数存在しないと判別した場合（Ｓ１０９でＮＯ）、制御部１０４は、エリア内に存在する１つの画像を選択し（Ｓ１１５）、選択した画像の中心を回転処理の中心に設定し（Ｓ１１７）、ステップＳ１１９の処理へ進む。
【０１０７】
ステップＳ１１９において、回転操作を検知する（Ｓ１１９）と、制御部１０４は、回転操作が左回りであるか否かを判別する（Ｓ１２１）。
【０１０８】
ステップＳ１２１において、回転操作が左回りであると判別した場合（Ｓ１２１でＹＥＳ）、制御部１０４は、選択した画像を、設定した中心で左方向に９０度回転し（Ｓ１２３）、ステップＳ１２７の処理へ進む。一方、ステップＳ１２１において、回転操作が右回りであると判別した場合（Ｓ１２１でＮＯ）、制御部１０４は、選択した画像を、設定した中心で右方向に９０度回転し（Ｓ１２５）、ステップＳ１２７の処理へ進む。
【０１０９】
ステップＳ１２７において、制御部１０４は、ステップＳ１１１において複数の画像を選択した場合に、回転の中心が、選択した画像のうち前の配列順序を有する画像の方に移動したか否かを判別する（Ｓ１２７）。
【０１１０】
ステップＳ１２７において、複数の画像を選択した場合に、回転の中心が、選択した画像のうち前の配列順序を有する画像の方に移動したと判別した場合（Ｓ１２７でＹＥＳ）、制御部１０４は、選択した画像の回転後の短辺方向（Ｘ方向）または長辺方向（Ｙ方向）のサイズと、選択した画像の回転前の印刷エリアの短辺方向または長辺方向のサイズとが同じになるように、選択した画像を縮小し（Ｓ１２９）、ステップＳ１３３の処理へ進む。
【０１１１】
ステップＳ１２７において、複数の画像を選択した場合に、回転の中心が、選択した画像のうち前の配列順序を有する画像の方に移動しないと判別した場合、または１つの画像を選択したと判別した場合（Ｓ１２７でＮＯ）、制御部１０４は、選択した画像の回転後の短辺方向（Ｘ方向）または長辺方向（Ｙ方向）のサイズと、選択した画像の回転前の印刷エリアの短辺方向または長辺方向のサイズとが同じになるように、選択した画像を拡大し（Ｓ１３１）、ステップＳ１３３の処理へ進む。
【０１１２】
ステップＳ１３３において、制御部１０４は、各画像の位置を調整し（Ｓ１３３）、処理を終了する。
【０１１３】
図１４は、プレビュー画像を表示している状況で、ピンチイン操作またはピンチアウト操作操作（第７または第８の操作）を受け付けた場合の画像形成装置の動作を示すフローチャートである。
【０１１４】
図１４を参照して、メモリに記憶されているファイルに対してのＮｉｎ１印刷の設定を、操作パネル１０１を通じて受け付けると（Ｓ２０１）、制御部１０４は、ファイルの画像を複数の印刷ページの各々に割り付け（Ｓ２０２）、Ｎｉｎ１印刷の形態で画像が割り付けられた印刷ページを操作パネル１０１にプレビュー表示する（Ｓ２０３）。次に制御部１０４は、ピンチイン操作またはピンチアウト操作を検知すると（Ｓ２０５）、検知した操作がピンチアウト操作であるか否かを判別する（Ｓ２０７）。
【０１１５】
ステップＳ２０７において、検知した操作がピンチアウト操作であると判別した場合（Ｓ２０７でＹＥＳ）、制御部１０４は、ピンチアウト操作の対象となった画像を選択し（Ｓ２０９）、選択した画像の中心を回転処理の中心に設定し（Ｓ２１１）、設定した中心で画像を９０度回転させる（Ｓ２１３）。続いて制御部１０４は、選択した画像の回転後の短辺方向（Ｘ方向）または長辺方向（Ｙ方向）のサイズと、選択した画像の回転前の印刷エリアの短辺方向または長辺方向のサイズとが同じになるように、選択した画像を拡大し（Ｓ２１５）、ステップＳ２２５の処理へ進む。
【０１１６】
ステップＳ２０７において、検知した操作がピンチイン操作であると判別した場合（Ｓ２０７でＮＯ）、制御部１０４は、ピンチイン操作の対象となった画像を選択し（Ｓ２１７）、選択した画像の中心を回転処理の中心に設定し（Ｓ２１９）、設定した中心で画像を９０度回転させる（Ｓ２２１）。続いて制御部１０４は、選択した画像の回転後の短辺方向（Ｘ方向）または長辺方向（Ｙ方向）のサイズと、選択した画像の回転前の印刷エリアの短辺方向または長辺方向のサイズとが同じになるように、選択した画像を縮小し（Ｓ２２３）、ステップＳ２２５の処理へ進む。
【０１１７】
ステップＳ２５５において、制御部１０４は、各画像の位置およびサイズを調整し（Ｓ２５５）、処理を終了する。
【０１１８】
図１５は、プレビュー画像を表示している状況で、ドラッグ操作（第９の操作）を受け付けた場合の画像形成装置の動作を示すフローチャートである。
【０１１９】
図１５を参照して、メモリに記憶されているファイルに対してのＮｉｎ１印刷の設定を、操作パネル１０１を通じて受け付けると（Ｓ３０１）、制御部１０４は、ファイルの画像を複数の印刷ページの各々に割り付け（Ｓ３０２）、Ｎｉｎ１印刷の形態で画像が割り付けられた印刷ページを操作パネル１０１にプレビュー表示する（Ｓ３０３）。次に制御部１０４は、ドラッグ操作を検知すると（Ｓ３０５）、ドラッグ操作の起点となった画像と、その前の画像とを選択する（Ｓ３０７）。次に制御部１０４は、選択した画像のうち、ドラッグ操作の起点となった画像の前の画像の表示エリアの中心を、回転処理の中心に設定し（Ｓ３０９）、設定した中心で左方向に９０度回転する（Ｓ３１１）。続いて制御部１０４は、制御部１０４は、選択した画像の回転後の短辺方向（Ｘ方向）または長辺方向（Ｙ方向）のサイズと、選択した画像の回転前の印刷エリアの短辺方向または長辺方向のサイズとが同じになるように、選択した画像を縮小し（Ｓ３１３）、各画像の位置を調整し（Ｓ３１５）、処理を終了する。
【０１２０】
［実施の形態の効果］
【０１２１】
上述の実施の形態によれば、ユーザーは、Ｎｉｎ１印刷が設定されたプレビュー画像が表示パネルに表示されている場合に、表示パネルへジェスチャー操作を行うことにより、任意の印刷ページの割り付け状態を変更することができる。その結果、直感的な動作で、所望する印刷ページの割り付け状態を部分的に変更することができ、利便性を向上することができる。
【０１２２】
［その他］
【０１２３】
表示装置は、第１の印刷ページ内を起点として、表示部との少なくとも１つの接触点を移動するジェスチャー操作を受け付けた場合に、第１の印刷ページよりも前の印刷ページである第２の印刷ページの割り付け状態を維持しつつ、第１の印刷ページの割り付け状態を変更すればよく、表示装置の動作は、上述の第１〜第９の操作を受け付けた場合のものに限定されない。表示装置は、たとえば、ジェスチャー操作を受け付ける度に、その印刷ページの集約状態を、１ｉｎ１→２ｉｎ１→３ｉｎ１→４ｉｎ１→・・・という順序で変更してもよい。また表示装置は、上述の第１〜第９の操作を受け付けた場合の動作のうち、一部の動作のみ（たとえば回転操作を受け付けた場合の動作のみ）を実行してもよい。
【０１２４】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１２５】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２６】
１  画像形成装置
１００  スキャナー装置
１００ａ  読取部
１０１  操作パネル
１０１ａ  表示パネル
１０１ｂ  検出部
１０２  画像処理装置
１０２ａ  画像編集部
１０２ｂ  画像記憶部
１０３  印刷装置
１０３ａ  印刷部
１０３ｂ  ステープル部
１０４  制御部
１０４ａ  ＣＰＵ（Ｃｅｎｔｒａｌ  Ｐｒｏｃｅｓｓｉｎｇ  Ｕｎｉｔ）
１０４ｂ  ＲＯＭ（Ｒｅａｄ  Ｏｎｌｙ  Ｍｅｍｏｒｙ）
１０４ｃ  ＲＡＭ（Ｒａｎｄｏｍ  Ａｃｃｅｓｓ  Ｍｅｍｏｒｙ）
１１３  スキャンキー
１１４  プレビューキー
１１５  スタートキー
１１６  ストップキー
１１７  テンキー
ＡＲ１  エリア
Ｏ  回転操作の中心となる点
【図１】
0005892130.tif 000002
【図２】
0005892130.tif 000003
【図３】
0005892130.tif 000004
【図４】
0005892130.tif 000005
【図５】
0005892130.tif 000006
【図６】
0005892130.tif 000007
【図７】
0005892130.tif 000008
【図８】
0005892130.tif 000009
【図９】
0005892130.tif 000010
【図１０】
0005892130.tif 000011
【図１１】
0005892130.tif 000012
【図１２】
0005892130.tif 000013
【図１３】
0005892130.tif 000014
【図１４】
0005892130.tif 000015
【図１５】
0005892130.tif 000016